(57)【要約】      （修正有）【課題】  高周波信号のピーク値が所定値となるように高周波信号の電流値を変更することによって、高周波重畳に起因する、光ディスクに記録された情報の消去を防止可能な半導体レーザ駆動装置を提供する。【解決手段】  半導体レーザ駆動装置は、光ディスクにレーザ光を照射する半導体レーザ１に対して、レーザ駆動信号を供給するレーザ駆動電流源５と、前記レーザ駆動信号に当該高周波信号を重畳する高周波重畳部と、前記高周波信号のピーク値を検出するピーク値検出部と、前記ピーク値が所定値となるように、前記高周波信号の電流値を設定する重畳電流設定部と、を備える。【選択図】      図１
2006269512.tif 000002
【特許請求の範囲】
【請求項１】
光ディスクにレーザ光を照射する半導体レーザに対して、レーザ駆動信号を供給するレーザ駆動手段と、
高周波信号を出力し、前記レーザ駆動信号に当該高周波信号を重畳する高周波重畳手段と、
前記高周波信号のピーク値を検出するピーク値検出手段と、
前記ピーク値が所定値となるように、前記高周波信号の電流値を設定する重畳電流設定手段と、を備えることを特徴とする半導体レーザ駆動装置。
【請求項２】
前記所定値は、少なくとも、前記光ディスクに記録された情報が消去されるような電流値のレベル未満に設定されることを特徴とする請求項１に記載の半導体レーザ駆動装置。
【請求項３】
前記高周波重畳手段から出力される前記高周波信号がピーク値に固定されるように、当該高周波重畳手段に対して指令を出す固定指令手段を備え、
前記ピーク値検出手段は、前記固定指令手段によって固定された高周波信号に基づいて、前記ピーク値を検出することを特徴とする請求項１又は２に記載の半導体レーザ駆動装置。
【請求項４】
前記レーザ光が照射されている前記光ディスクのエリアが、ＡＰＣエリアであるか否かを判定するエリア判定手段を備え、
前記固定指令手段は、前記エリア判定手段がＡＰＣエリアであると判定した場合に、前記指令を出すことを特徴とする請求項３に記載の半導体レーザ駆動装置。
【請求項５】
前記所定値は、予め求められた、前記高周波信号におけるピーク値と、前記指令によって固定されたときに得られるピーク値との差異に基づいて設定されていることを特徴とする請求項３又は４に記載の半導体レーザ駆動装置。
【請求項６】
前記所定値は、前記高周波信号の周波数に基づいて設定されていることを特徴とする請求項１乃至５のいずれか一項に記載の半導体レーザ駆動装置。
【請求項７】
光ディスクにレーザ光を照射する半導体レーザに対して、レーザ駆動信号を供給するレーザ駆動工程と、
前記レーザ駆動信号に高周波信号を重畳する工程と、
前記高周波信号のピーク値を検出するピーク値検出工程と、
前記ピーク値が所定値となるように、前記高周波信号の電流値を設定する重畳電流設定工程と、を備えることを特徴とする半導体レーザ駆動方法。
【発明の詳細な説明】
【技術分野】
【０００１】
本発明は、半導体レーザなどの駆動を行う半導体レーザ駆動装置、及び半導体レーザ駆動方法に関する。
【背景技術】
【０００２】
従来から、光ディスクからの戻り光が半導体レーザの発光面に照射されることにより、半導体レーザの発振が不安定になってノイズ（レーザノイズ）を発生し、データの再生特性などが低下してしまうことが知られている。この対策として、半導体レーザを駆動するレーザ駆動信号に高周波信号を重畳（高周波重畳）することによって、半導体レーザをマルチモード発振させることにより、上記したレーザノイズの発生を低減する技術が既知である。
【０００３】
例えば、特許文献１には、光ディスクの種類に応じて重畳する高周波信号の振幅を切り替える技術が記載されている。また、特許文献２には、情報記録装置の動作モードに応じて、高周波信号の周波数や振幅を変更する技術が記載されている。
【０００４】
【特許文献１】特開２０００−３５５７２３号公報
【特許文献２】特開２００４−１４９３０２号公報
【発明の開示】
【発明が解決しようとする課題】
【０００５】
しかしながら、上記した特許文献に記載された技術では、温度や経年変化によって、高周波信号に設定されている電流値が変わってしまう場合があった。これにより、比較的大きなレーザパワーを有する高周波信号が光ディスクに照射されてしまい、再生性能が悪化したり、光ディスクに記録された情報が消去されてしまうという不具合が発生する場合があった。特に、ＤＶＤ−ＲＷ（DVD-Re-recordable）などの書き換え型の光ディスクに記録された情報は、上記のような高周波信号によって消え易い。
【０００６】
本発明が解決しようとする課題は上記のようなものが例として挙げられる。本発明は、高周波信号のピーク値が所定値となるように高周波信号の電流値を変更することによって、高周波重畳に起因する、光ディスクに記録された情報の消去を防止可能な半導体レーザ駆動装置、及び半導体レーザ駆動方法を提供することを課題とする。
【課題を解決するための手段】
【０００７】
請求項１に記載の発明は、半導体レーザ駆動装置は、光ディスクにレーザ光を照射する半導体レーザに対して、レーザ駆動信号を供給するレーザ駆動手段と、高周波信号を出力し、前記レーザ駆動信号に当該高周波信号を重畳する高周波重畳手段と、前記高周波信号のピーク値を検出するピーク値検出手段と、前記ピーク値が所定値となるように、前記高周波信号の電流値を設定する重畳電流設定手段と、を備えることを特徴とする。
【０００８】
請求項７に記載の発明は、半導体レーザ駆動方法は、光ディスクにレーザ光を照射する半導体レーザに対して、レーザ駆動信号を供給するレーザ駆動工程と、前記レーザ駆動信号に高周波信号を重畳する工程と、前記高周波信号のピーク値を検出するピーク値検出工程と、前記ピーク値が所定値となるように、前記高周波信号の電流値を設定する重畳電流設定工程と、を備えることを特徴とする。
【発明を実施するための最良の形態】
【０００９】
本発明の好適な実施形態では、半導体レーザ駆動装置は、光ディスクにレーザ光を照射する半導体レーザに対して、レーザ駆動信号を供給するレーザ駆動手段と、高周波信号を出力し、前記レーザ駆動信号に当該高周波信号を重畳する高周波重畳手段と、前記高周波信号のピーク値を検出するピーク値検出手段と、前記ピーク値が所定値となるように、前記高周波信号の電流値を設定する重畳電流設定手段と、を備える。
【００１０】
上記の半導体レーザ駆動装置は、情報記録再生装置などに搭載され、光ディスクに情報を記録し、且つ前記光ディスクに記録された情報を再生するために好適に使用される。高周波重畳手段は、光ディスクからの戻り光によって発生する半導体レーザ（例えば、レーザダイオードなど）のレーザノイズを抑制するために、半導体レーザを駆動するレーザ駆動信号に高周波信号を重畳する。これによって、半導体レーザは、マルチモード発振するため、光ディスクからの戻り光による不安定さが除去されて、安定した発振状態となる。更に、ピーク値検出手段は、高周波信号のピーク値を検出し、重畳電流設定手段は、高周波信号のピーク値が所定値となるように、高周波信号の電流値（重畳電流）を設定する。これにより、上記の半導体レーザ駆動装置によれば、温度や経年変化によって高周波信号に対して設定している電流値が変化してしまうことを防止することができる。したがって、高周波信号の電流値が変化することによって生じる不具合を防止することができる。
【００１１】
上記の半導体レーザ駆動装置の一態様では、前記所定値は、少なくとも、前記光ディスクに記録された情報が消去されるような電流値のレベル未満に設定される。
【００１２】
この態様では、高周波信号の重畳電流を設定する際に用いる所定値は、光ディスクに記録された情報が消去されるような電流値のレベル未満に設定されている。このような所定値に重畳電流を設定することにより、高周波重畳によってレーザノイズの発生を低減する機能を確保しつつ、光ディスクに記録された情報の消去を確実に防止することができる。
【００１３】
上記の半導体レーザ駆動装置の他の一態様では、前記高周波重畳手段から出力される前記高周波信号がピーク値に固定されるように、当該高周波重畳手段に対して指令を出す固定指令手段を備え、前記ピーク値検出手段は、前記固定指令手段によって固定された高周波信号に基づいて、前記ピーク値を検出する。
【００１４】
この態様では、ピーク値検出手段は、固定指令手段によってピーク値に固定された状態の高周波信号に対して、ピーク値の検出を行う。これにより、高周波信号の周波数特性などに因らずに、確実にピーク値を検出することができる。
【００１５】
上記の半導体レーザ駆動装置の他の一態様では、前記レーザ光が照射されている前記光ディスクのエリアが、ＡＰＣエリアであるか否かを判定するエリア判定手段を備え、前記固定指令手段は、前記エリア判定手段がＡＰＣエリアであると判定した場合に、前記指令を出す。
【００１６】
この態様では、固定指令手段は、現在レーザ光が照射されている光ディスク上のエリアがＡＰＣエリアであるとエリア判定手段によって判定されたときに、高周波重畳手段から出力される前記高周波信号がピーク値に固定されるように指令を出す。即ち、上記の半導体レーザ駆動装置は、このようなＡＰＣエリアを利用して、高周波信号のピーク値を検出する。このＡＰＣエリアは、規格において自由に利用することが可能なエリアとして設けられているため、ＡＰＣエリアを利用しても不具合は生じない。したがって、上記の半導体レーザ駆動装置によれば、ＡＰＣエリアを利用してピーク値の検出を行うため、効率的に重畳電流の設定を行うことができる。
【００１７】
好適には、前記所定値は、予め求められた、前記高周波信号におけるピーク値と、前記指令によって固定されたときに得られるピーク値との差異に基づいて設定されている。これにより、ピーク値に固定された状態において検出されるピーク値を用いて、正確に重畳電流を設定することができる。
【００１８】
更に好適には、前記所定値は、前記高周波信号の周波数に基づいて設定されている。これにより、高周波信号の周波数に因らずに、検出されるピーク値に基づいて、適切に重畳電流を設定することができる。
【００１９】
本発明の別の観点では、半導体レーザ駆動方法は、光ディスクにレーザ光を照射する半導体レーザに対して、レーザ駆動信号を供給するレーザ駆動工程と、前記レーザ駆動信号に高周波信号を重畳する工程と、前記高周波信号のピーク値を検出するピーク値検出工程と、前記ピーク値が所定値となるように、前記高周波信号の電流値を設定する重畳電流設定工程と、を備える。上記の半導体レーザ駆動方法によっても、温度や経年変化によって高周波信号に対して設定している電流値が変化してしまうことを防止することができる。
【実施例】
【００２０】
以下、図面を参照して本発明の好適な実施例について説明する。
【００２１】
［第１実施例］
まず、本発明の第１実施例に係る情報記録再生装置の構成について、図１を用いて説明する。
【００２２】
図１は、情報記録再生装置１００の概略構成を示すブロック図である。情報記録再生装置１００は、主に、半導体レーザ駆動装置２０と、ＣＰＵ３０と、を備える。情報記録再生装置１００は、図示しない光ディスクに記録された情報の再生、及び光ディスクへの情報の記録を行う装置である。半導体レーザ駆動装置２０は、レーザダイオード１と、フロントモニタ（ＦＭ）２と、減算器３と、電流源４と、加算器５と、重畳ピーク値検出部６と、減算器３と、重畳電流設定部８と、高周波重畳部９と、発振器１０とを備える。
【００２３】
レーザダイオード１は、半導体レーザであり、図示しない光ディスクに対して光ビーム（レーザ光）を出射する。詳しくは、レーザダイオード１は、電流源４から供給されるレーザ駆動信号Ｓ５と、高周波重畳部９から出力される高周波信号Ｓ１１と、を加算器５において加算した信号Ｓ１を取得し、この信号Ｓ１に応じたレーザパワーを有する光ビームを出射する。
【００２４】
また、レーザダイオード１から出射された光ビーム（矢印Ａ１）は、ミラーやプリズム等の光学系を通過し、最終的に対物レンズで、光ディスクの記録面上に集光される。一方、レーザダイオード１から出射された光ビーム（矢印Ａ１）の一部は、プリズム等の光学系で反射され、フロントモニタ２に入射される。
【００２５】
フロントモニタ２は、受光素子などによって構成され、レーザダイオード１が出射した光ビームの一部を受光する。そして、フロントモニタ２は、受光した光ビームのレーザパワーに対応する信号Ｓ２を減算器３と重畳ピーク値検出部６に出力する。
【００２６】
減算器３は、フロントモニタ２から供給される信号Ｓ２と、ＣＰＵ３０などから供給されるリード目標値に対応する信号Ｓ３と、を取得する。そして、減算器３は、これらの信号Ｓ３と信号Ｓ２を比較し、この比較結果に応じた値を信号Ｓ４として電流源４に対して出力する。例えば、減算器３は、フロントモニタ２で検出されたレーザパワーがリード目標値よりも大きいときは、レーザダイオード１が出射するレーザパワーが小さくなるような信号Ｓ４を出力する。一方、フロントモニタ２で検出されたレーザパワーがリード目標値よりも小さいときは、減算器３は、レーザダイオード１が出射するレーザパワーが大きくなるような信号Ｓ４を出力する。
【００２７】
電流源４は、減算器３から供給される信号Ｓ４に基づいて、レーザダイオード１を駆動するためのレーザ駆動信号Ｓ５を出力する。具体的には、電流源４は、加算器５に対してレーザ駆動信号Ｓ５を出力する。
【００２８】
一方、重畳ピーク値検出部６は、フロントモニタ２が検出した信号Ｓ２におけるピーク値を検出する。この検出されるピーク値は、高周波信号Ｓ１１の電流値（重畳電流）に対応する。そして、重畳ピーク値検出部６は、検出したピーク値に対応するピーク信号Ｓ６を、減算器７に出力する。
【００２９】
減算器７は、ピーク信号Ｓ６と、ＣＰＵ３０から供給される重畳レベル目標値に対応する信号Ｓ７とを比較し、この比較結果に対応する信号Ｓ８を重畳電流設定部８に供給する。具体的には、減算器７は、重畳ピーク値検出部６で検出されたピーク値が重畳レベル目標値よりも大きいときは、重畳電流設定部８が設定する電流値が小さくなるような信号Ｓ８を出力する。一方、重畳ピーク値検出部６で検出されたピーク値が重畳レベル目標値よりも小さいときは、減算器７は、重畳電流設定部８が設定する電流値が大きくなるような信号Ｓ８を出力する。
【００３０】
なお、上記した重畳レベル目標値は、少なくとも、光ディスクに記録された情報が消去されてしまうような重畳電流のレベル未満に設定されている。したがって、高周波信号Ｓ１１の電流値（重畳電流）を重畳レベル目標値に設定することにより、高周波重畳によってレーザノイズの発生を低減する機能を確保しつつ、光ディスクに記録された情報の消去を確実に防止することができる。
【００３１】
重畳電流設定部８は、減算器７から供給される信号Ｓ８に基づいて、高周波信号に対する重畳電流を設定する。そして、重畳電流設定部８は、この重畳電流に対応する信号Ｓ９を高周波重畳部９に供給する。高周波重畳部９は、重畳電流設定部８から供給される重畳電流に対応する信号Ｓ９と、発振器１０から供給される周波数（重畳周波数）に対応する信号Ｓ１０とに基づいて、高周波信号Ｓ１１を加算器５に出力する。具体的には、高周波信号部９は、発振器１０から供給される重畳周波数と、重畳電流設定部８から供給される重畳電流とに設定した高周波信号Ｓ１１を出力する。
【００３２】
加算器５は、電流源４から供給されるレーザ駆動信号Ｓ５と、高周波重畳部９から供給される高周波信号Ｓ１１とを加算する処理を行う。そして、加算器５は、加算して得られた値を信号Ｓ１としてレーザダイオード１に対して供給する。
【００３３】
ＣＰＵ３０は、上記した種々の処理部に対して目標値や設定値を供給して、各処理部の制御を行う。
【００３４】
次に、上記した情報記録再生装置１００が行う、高周波信号における重畳電流の設定方法について説明する。
【００３５】
図２は、重畳電流と重畳周波数の初期設定を行う処理のフローチャートを示す。なお、この処理は、情報記録再生装置１００の電源をオンにした直後などに行われる。
【００３６】
まず、ステップＳ１０１では、ＣＰＵ３０は、重畳周波数を規定値に設定すると共に、重畳電流を初期値に設定する。具体的には、ＣＰＵ３０は、重畳周波数を設定するために発振器１０を制御すると共に、重畳電流を設定するために重畳電流設定部８を制御する。そして、処理はステップＳ１０２に進む。
【００３７】
ステップＳ１０２では、ＣＰＵ３０は、電流源４を制御して、レーザダイオード１を点灯する。そして、処理はステップＳ１０３に進む。ステップＳ１０３では、ＣＰＵ３０は、重畳電流の調整を開始する。具体的には、フロントモニタ２で検出された信号Ｓ２のピーク値を重畳ピーク値検出部６で検出し、このピーク値が重畳レベル目標値となるように重畳電流設定部８が重畳電流の設定を行う。この処理の詳細は後述する。重畳電流の調整が終了すると、処理はステップＳ１０４に進む。
【００３８】
ステップＳ１０４では、ＣＰＵ３０は、レーザダイオード１の光ディスクに対するフォーカスをオンにし、情報の再生処理を実行する。以上の処理が終了すると、処理は当該フローを抜ける。
【００３９】
ここで、第１実施例に係る重畳電流の設定方法について説明する。図３は、重畳電流の設定を行う具体的な処理を示すフローチャートである。
【００４０】
まず、ステップＳ１５０では、ＣＰＵ３０は、重畳周波数を規定値に設定すると共に、重畳電流を初期値に設定する。更に、ステップＳ１５０では、ＣＰＵ３０は、電流源４を制御して、レーザダイオード１を点灯する。これにより、レーザダイオード１が出射した光ビームの一部がフロントモニタ２に受光される。そして、重畳ピーク値検出部６は、フロントモニタ２から出力された信号Ｓ２のピーク値を検出して、検出したピーク信号Ｓ６を減算器７に出力する。以上の処理が終了すると、処理はステップＳ１５１に進む。
【００４１】
ステップＳ１５１では、ＣＰＵ３０は、重畳電流の設定条件が成立したか否かを判定する。具体的には、ＣＰＵ３０は、重畳電流の設定するタイミングにあるか否かを判定する。当該重畳電流の設定は、所定の周期で実行されるからである。また、ＣＰＵ３０は、再生性能が悪化したか否かも判定する。このような場合には、重畳電流の設定を変更すべき状態にあるからである。重畳電流の設定条件が成立している場合（ステップＳ１５１；Ｙ）、処理はステップＳ１５２に進む。一方、重畳電流の設定条件が成立していない場合（ステップＳ１５１；Ｎ）、処理はステップＳ１５１に戻り再度判定を行う。即ち、重畳電流の設定条件が成立するまで、ステップＳ１５１の処理を繰り返す。
【００４２】
ステップＳ１５２では、減算器７は、重畳ピーク値検出部６で検出されたピーク信号Ｓ６が重畳レベル目標値よりも大きいか否かを判定する。この重畳レベル目標値は、少なくとも、光ディスクに記録された情報が消去されてしまうような重畳電流のレベル未満に設定されている。ピーク信号Ｓ６が重畳レベル目標値よりも大きければ（ステップＳ１５２；Ｙ）、処理はステップＳ１５３に進み、ピーク信号Ｓ６が重畳レベル目標値よりも小さければ（ステップＳ１５２；Ｎ）、処理はステップＳ１５４に進む。
【００４３】
ステップＳ１５３では、ピーク信号Ｓ６が重畳レベル目標値よりも大きいため、重畳電流設定部８は、重畳電流を所定値下げる。そして、処理はステップＳ１５２に戻って、再度判定を行う。
【００４４】
一方、ステップＳ１５４では、減算器７は、更に、重畳ピーク値検出部６で検出されたピーク信号Ｓ６が重畳レベル目標値よりも小さいか否かを判定する。ピーク信号Ｓ６が重畳レベル目標値よりも小さければ（ステップＳ１５４；Ｙ）、処理はステップＳ１５５に進む。逆に、ピーク信号Ｓ６が重畳レベル目標値よりも小さければ（ステップＳ１５４；Ｎ）、処理はステップＳ１５６に進む。この場合には、ピーク信号Ｓ６が重畳レベル目標値に概ね一致する。
【００４５】
ステップＳ１５５では、ピーク信号Ｓ６が重畳レベル目標値よりも小さいため、重畳電流設定部８は、重畳電流を所定値上げる。そして、処理はステップＳ１５２に戻って、再度判定を行う。
【００４６】
一方、ステップＳ１５６では、ＣＰＵ３０は、情報記録再生装置１００による再生処理が終了したか否かを判定する。再生処理が終了している場合には（ステップＳ１５６；Ｙ）、処理は当該フローを抜け、再生処理が終了していない場合には（ステップＳ１５６；Ｎ）、処理はステップＳ１５１に戻る。情報記録再生装置１００は、再生処理中に重畳電流の設定処理を繰り返すからである。
【００４７】
このように、第１実施形態に係る情報記録再生装置１００では、高周波信号のピーク値を検出し、検出されたピーク値に基づいて重畳電流を設定する。そのため、温度や経年変化によって高周波信号の電流値が変わってしまうことを防止することができる。したがって、第１実施形態に係る情報記録再生装置１００によれば、高周波重畳を行っても、光ディスクの再生性能の悪化や、光ディスクに記録された情報が消去されてしまうことを適切に防止することができる。
【００４８】
なお、重畳ピーク値検出部６はフロントモニタ２が検出した高周波信号のピーク値を検出しているが、実際には、重畳電流が同じであっても、高周波信号に対して設定している重畳周波数に応じて検出されるピーク値が異なる。図４は、重畳周波数と、フロントモニタ２で検出される光ビームのレーザパワーとの関係の具体例を示す。図４は、横軸に時間（ｎｓ）を示し、縦軸に検出される光ビームのレーザパワー（ｍＷ）を示している。この図より、重畳周波数が低い方が、光ビームのレーザパワーが大きいことがわかる。よって、重畳周波数が低い方が、重畳ピーク値検出部６において検出されるピーク値の大きさが大きくなる。これは、光ビームの周波数特性に起因する。
【００４９】
したがって、情報記録再生装置１００のＣＰＵ３０は、高周波信号の重畳周波数に応じて、重畳レベル目標値を設定し、この重畳レベル目標値を減算器７に供給する。具体的には、ＣＰＵ３０は、重畳周波数が高い場合には、重畳レベル目標値を小さく設定し、重畳周波数が低い場合には、重畳レベル目標値を大きく設定する。
【００５０】
なお、本実施例では、再生が終了するまで、所定の周期で重畳電流の設定処理を繰り返す例を説明したが、レーザダイオード１の点灯直後に重畳電流の設定処理を行った後、再生終了までその設定を維持するようにしても良い。
【００５１】
［第２実施例］
次に、本発明の第２実施例について説明する。
【００５２】
第２実施例では、高周波信号をピーク値に固定し、ピーク値に固定された状態の高周波信号をサンプリングすることによってピーク値を検出する点で、第１実施例とは異なる。具体的には、高周波信号がピーク値に固定されるように高周波重畳部９に対して指令を出すことによって、ピーク値を検出する。なお、ピーク値を検出した後の重畳電流の設定に係る処理は、前述した第１実施例で示した処理と同様である。
【００５３】
図５は、第２実施例に係る情報記録再生装置１０１の概略構成を示すブロック図である。情報記録再生装置１０１は、重畳ピーク値検出部６の代わりに、サンプルホールド回路１２と重畳ピークパワー固定指令部１３とを有する点で、前述した情報記録再生装置１００と構成が異なる。よって、上記した情報記録再生装置１００と同一の構成要素及び同一の信号については同一の符号を付し、その説明は省略する。なお、情報記録再生装置１０１は、半導体レーザ駆動装置２０の代わりに半導体レーザ駆動装置２１を有している。
【００５４】
サンプルホールド回路１２は、重畳ピークパワー固定指令部１３から供給されるサンプリング指令Ｓ１３に基づいて、フロントモニタ２から供給される信号Ｓ２をサンプリングする。この場合、サンプルホールド回路１２には、ピーク値に固定された状態の高周波信号を含む信号Ｓ２が入力されるため、サンプルホールド回路１２は、高周波信号Ｓ１１のピーク値をサンプリングする。即ち、サンプルホールド回路１２は、ピーク値を検出する。そして、サンプルホールド回路１２は、サンプリングしたサンプルパルスＳ１５を減算器７に対して出力する。
【００５５】
重畳ピークパワー固定指令部１３は、サンプルホールド回路１２に対してサンプリング指令Ｓ１３を供給すると共に、高周波重畳部９に対して重畳ピークパワー固定指令Ｓ１４を供給する。これにより、サンプルホールド回路１２において信号Ｓ２に対するサンプリングが実行されると共に、高周波重畳部９から出力される高周波信号Ｓ１１がピーク値に固定される。具体的には、高周波重畳部９は、重畳ピークパワー固定指令Ｓ１４が供給されたときに、発振器１０の動作をオフにする（即ち、発振器１０による発振を停止する）ことにより、高周波信号Ｓ１１として直流電圧（ＤＣ電圧）を出力する。なお、ＤＣ電圧出力時の高周波重畳部９からの出力は厳密に言えば高周波信号ではないが、ここでは説明の便宜上、一時的にＤＣ電圧が出力される場合も含めて高周波信号Ｓ１１と呼ぶこととする。ＤＣ電圧出力時の出力の大きさは、概ね、高周波信号Ｓ１１のピーク値に対応する。なお、重畳ピークパワー固定指令部１３は、情報記録再生装置１０１の電源をオンにした際や、光ディスクの再生前などに重畳ピークパワー固定指令Ｓ１４及びサンプリング指令Ｓ１３を出す。
【００５６】
ここで、サンプルホールド回路１２が出力するサンプルパルスＳ１５と重畳ピークパワー固定指令部１３が高周波重畳部９に対して出力する重畳ピークパワー固定指令Ｓ１４の具体例について、図６に示す。
【００５７】
重畳ピークパワー固定指令部１３は、図６（ａ）で示すような重畳ピークパワー固定指令Ｓ１４を出力する。このような重畳ピークパワー固定指令Ｓ１４が高周波重畳部９に入力されることにより、図６（ｂ）で示すように、レーザダイオード１が出力する光ビームの光波形はピーク値で固定される。詳しくは、重畳ピークパワー固定指令Ｓ１４が出力されたときに、発振器１０の発振が停止され、高周波重畳部９はＤＣ電圧を出力する。
【００５８】
更に、重畳ピークパワー固定指令部１３からサンプルホールド回路１２にサンプリング指令Ｓ１３が入力されることにより、図６（ｃ）で示すように、サンプルホールド回路１２は、フロントモニタ２が出力する信号Ｓ２をサンプリングして、サンプルパルスＳ１５を出力する。このサンプルパルスＳ１５の大きさは、高周波信号のピーク値、即ち重畳電流に対応する。また、フロントモニタ２の出力は、図６（ｄ）で示すような出力となっている。具体的には、重畳ピークパワー固定指令Ｓ１４が出力されていないときには、フロントモニタ２は、レーザダイオード１が出力する光ビームを正確に検出できていないが、重畳ピークパワー固定指令Ｓ１４が出力されて高周波重畳部９の出力が固定されたときには、光ビームのピーク値を適切に検出していることがわかる。このように、フロントモニタ２が高周波振動中の光ビームを正確に検出できていないのは、レーザダイオード１からの光ビームの周波数特性に起因している。
【００５９】
このように、第２実施例に係る情報記録再生装置１０１では、高周波信号をピーク値に固定した状態において、フロントモニタ２から出力される信号Ｓ２をサンプリングしてピーク値を検出する。これにより、レーザダイオード１が出力する光ビームの周波数特性に因らずに、確実に高周波信号のピーク値を検出することが可能となる。よって、第２実施例に係る情報記録再生装置１０１によれば、適切に重畳電流を設定することができるため、光ディスクの再生性能の悪化や、光ディスクに記録された情報が消去されてしまうことを更に確実に防止することが可能となる。
【００６０】
なお、固定指令によって発振器１０の発振が停止されＤＣ電圧が出力された時における高周波信号のピーク値と、高周波発振時の高周波信号のピーク値との間には差異がある。このような差異は、高周波信号の周波数がかなり高いため、レーザダイオード１やレーザダイオード１のドライバーなどの配線や基板等の影響によって、高周波発振時の高周波信号が減衰するために生じる。
【００６１】
図７に、このような差異の具体例を示す。図７は、レーザダイオード１が出力する光ビームの光波形を示す。重畳ピークパワー固定指令部１３から重畳ピークパワー固定指令Ｓ１４が出力されることにより、発振器１０の発振が停止し、高周波重畳部９はＤＣ電圧を出力する。図７中の破線は、ＤＣ電圧である高周波信号のピーク値の実際の大きさを示している。これにより、ＤＣ電圧である高周波信号のピーク値と、高周波発振時の高周波信号のピーク値との間には差異Ｘがあることがわかる。具体的には、高周波発振時のピーク値よりも、ＤＣ電圧出力時のピーク値の方が大きい。したがって、本実施例に係る情報記録再生装置１０１は、このような差異Ｘをあらかじめ実験などによって測定して換算式を求め、この換算式に基づいて前述した重畳レベル目標値を設定する。
【００６２】
次に、第２実施例に係る重畳電流の設定方法について説明する。
【００６３】
図８は、重畳電流の設定を行う具体的な処理を示すフローチャートである。
【００６４】
まず、ステップＳ２０１では、ＣＰＵ３０は、重畳周波数を規定値に設定すると共に、重畳電流を初期値に設定する。更に、ステップＳ２０１では、ＣＰＵ３０は、電流源４を制御して、レーザダイオード１を点灯する。そして、処理はステップＳ２０２に進む。
【００６５】
ステップＳ２０２では、ＣＰＵ３０は、重畳ピークパワー固定指令部１３における重畳ピークパワー固定指令を解除する。そして、処理はステップＳ２０３に進む。ステップＳ２０３では、ＣＰＵ３０は、重畳電流の設定条件が成立したか否かを判定する。具体的には、ＣＰＵ３０は、重畳電流の設定するタイミングにあるか否か、或いは再生性能が悪化したか否かも判定する。重畳電流の設定条件が成立している場合（ステップＳ２０３；Ｙ）、処理はステップＳ２０４に進む。一方、重畳電流の設定条件が成立していない場合（ステップＳ２０３；Ｎ）、処理はステップＳ２０３に戻り再度判定を行う。即ち、重畳電流の設定条件が成立するまで、ステップＳ２０３の処理を繰り返す。
【００６６】
ステップＳ２０４では、ＣＰＵ３０は、重畳電流の設定条件が成立しているため、重畳ピークパワー固定指令部１３は重畳ピークパワー固定指令部Ｓ１４及びサンプリング指令Ｓ１３を出力する。そして、処理はステップＳ２０５に進む。
【００６７】
ステップＳ２０５では、サンプリング指令Ｓ１３がサンプルホールド回路１２に対して出力されているため、サンプルホールド回路１２は、フロントモニタ２が出力した信号Ｓ２をサンプリングする。この場合には、重畳ピークパワー固定指令Ｓ１４が高周波重畳部９に出力されているため、高周波重畳部９の出力はピーク値に固定されている。そのため、サンプルホールド回路１２でサンプリングされたサンプルパルスＳ１５は、高周波信号のピーク値に対応する。以上の処理が終了すると、処理はステップＳ２０６に進む。
【００６８】
ステップＳ２０６では、減算器７は、サンプルホールド回路１２でサンプリングされたサンプルパルスＳ１５が重畳レベル目標値よりも大きいか否かを判定する。この場合、重畳レベル目標値は、少なくとも、光ディスクに記録された情報が消去されてしまうような重畳電流のレベル未満に設定されている。また、重畳レベル目標値は、ＤＣ電圧出力時の高周波信号のピーク値と高周波発振時の高周波信号のピーク値との間の差異、及び重畳周波数の大きさを考慮に入れて設定されている。サンプルパルスＳ１５が重畳レベル目標値よりも大きければ（ステップＳ２０６；Ｙ）、処理はステップＳ２０７に進み、サンプルパルスＳ１５が重畳レベル目標値よりも小さければ（ステップＳ２０６；Ｎ）、処理はステップＳ２０８に進む。
【００６９】
ステップＳ２０７では、サンプルパルスＳ１５が重畳レベル目標値よりも大きいため、重畳電流設定部８は、重畳電流を所定値下げる。そして、処理はステップＳ２１０に進む。
【００７０】
一方、ステップＳ２０８では、減算器７は、更に、サンプルホールド回路１２でサンプリングされたサンプルパルスＳ１５が重畳レベル目標値よりも小さいか否かを判定する。サンプルパルスＳ１５が重畳レベル目標値よりも小さければ（ステップＳ２０８；Ｙ）、処理はステップＳ２０９に進む。逆に、サンプルパルスＳ１５が重畳レベル目標値よりも小さければ（ステップＳ２０８；Ｎ）、処理はステップＳ２１０に進む。この場合には、サンプルパルスＳ１５の大きさは、重畳レベル目標値に概ね一致する。
【００７１】
ステップＳ２０９では、サンプルパルスＳ１５が重畳レベル目標値よりも小さいため、重畳電流設定部８は、重畳電流を所定値上げる。そして、処理はステップＳ２１０に進む。
【００７２】
一方、ステップＳ２１０では、ＣＰＵ３０は、情報記録再生装置１００による再生処理が終了したか否かを判定する。再生処理が終了している場合には（ステップＳ２１０；Ｙ）、処理は当該フローを抜け、再生処理が終了していない場合には（ステップＳ２１０；Ｎ）、処理はステップＳ２０２に戻る。情報記録再生装置１００は、再生処理中に重畳電流の設定処理を繰り返すからである。
【００７３】
なお、本実施例では、再生処理中に重畳電流の設定処理を繰り返す例を説明したが、レーザダイオード１の点灯直後に重畳電流の設定処理を行った後、再生終了までその設定を維持するようにしても良い。
【００７４】
［第３実施例］
次に、本発明の第３実施例について説明する。
【００７５】
第３実施例では、前述した第２実施例と異なり、光ディスク上のＡＰＣ（Automatic Power Control）エリアを利用して、高周波信号のピーク値を検出する。具体的には、光ディスクのＡＰＣエリアを読み込んでいる際に、前述した重畳ピークパワー固定指令部１３が重畳ピークパワー固定指令Ｓ１４を高周波重畳部９に対して出力する。そして、この重畳ピークパワー固定指令Ｓ１４によって高周波信号がピーク値に固定され、ピーク値に固定された高周波信号を含む光ビームをフロントモニタ２で受光し、フロントモニタ２から出力される信号Ｓ２をサンプリングすることによってピーク値を検出する。なお、このような第３実施例に係る処理は、前述した第２実施例に係る情報記録再生装置１０１が処理を行う。
【００７６】
ここで、図９に、第３実施例において用いられる、ＡＰＣエリアを示す信号と重畳ピークパワー固定指令部１３が高周波重畳部９に対して出力する重畳ピークパワー固定指令Ｓ１４の具体例について示す。
【００７７】
図９（ａ）は、光ディスクの再生信号を示している。これより、ＡＰＣエリアが周期的に光ディスク上に設けられていることがわかる。ＢＤ（Blu-ray Disc）などの光ディスクにおいては、規格において自由に利用することが可能なＡＰＣエリアが設けられている。情報記録再生装置１０１がこのようなＡＰＣエリアを読み込んでいる際に、重畳ピークパワー固定指令部１３は、図９（ｂ）で示すような重畳ピークパワー固定指令Ｓ１４を出力する。このような重畳ピークパワー固定指令Ｓ１４が高周波重畳部９に入力されることにより、図９（ｃ）で示すように、レーザダイオード１が出力する光ビームの光波形はピーク値で固定される。詳しくは、重畳ピークパワー固定指令Ｓ１４が出力されたとき、発振器１０の発振が停止され、高周波重畳部９はＤＣ電圧を出力する。
【００７８】
更に、重畳ピークパワー固定指令部１３からサンプルホールド回路１２にサンプリング指令Ｓ１３が入力されることにより、図９（ｄ）で示すように、サンプルホールド回路１２はサンプリングを行ってサンプルパルスＳ１５を出力する。このサンプルパルスＳ１５の大きさは、高周波信号のピーク値、即ち重畳電流に対応する。
【００７９】
なお、上記では、重畳ピークパワー固定指令Ｓ１４が出力されているとき、発振器１０の動作をオフにする例について示したが、ＡＰＣエリアを通過する時間に対して、ＡＰＣの帯域が十分に低い場合には、発振器１０の動作をオフにする必要はない。
【００８０】
次に、第３実施例に係る重畳電流の設定方法について説明する。
【００８１】
図１０は、重畳電流の設定を行う具体的な処理を示すフローチャートである。
【００８２】
まず、ステップＳ３０１では、ＣＰＵ３０は、重畳ピークパワー固定指令部１３における重畳ピークパワー固定指令が解除されるように制御する。そして、処理はステップＳ３０２に進む。ステップＳ３０２では、ＣＰＵ３０は、現在再生している光ディスク上のエリアがＡＰＣエリアであるか否かを判定する。つまり、ＣＰＵ３０は、光ビームが照射されている光ディスクのエリアがＡＰＣエリアであるか否かを判定するエリア判定手段として機能する。ＡＰＣエリアである場合には（ステップＳ３０２；Ｙ）処理はステップＳ３０３に進み、ＡＰＣエリアではない場合には（ステップＳ３０２；Ｎ）処理はステップＳ３０２に戻って、再度判定を行う。即ち、ＣＰＵ３０は、ＡＰＣエリアが再生されるまで、ステップＳ３０２の判定を繰り返す。
【００８３】
ステップＳ３０３では、現在再生しているエリアがＡＰＣエリアであるため、重畳ピークパワー固定指令部１３は重畳ピークパワー固定指令部Ｓ１４及びサンプリング指令Ｓ１３を出力する。そして、処理はステップＳ３０４に進む。
【００８４】
ステップＳ３０４では、サンプリング指令Ｓ１３がサンプルホールド回路１２に対して出力されているため、サンプルホールド回路１２は、フロントモニタ２が出力した信号Ｓ２をサンプリングする。この場合には、重畳ピークパワー固定指令Ｓ１４が高周波重畳部９に出力されているため、高周波重畳部９の出力はピーク値に固定されている。そのため、サンプルホールド回路１２でサンプリングされたサンプルパルスＳ１５は、高周波信号のピーク値に対応する。以上の処理が終了すると、処理はステップＳ３０５に進む。
【００８５】
ステップＳ３０５では、減算器７は、サンプルホールド回路１２でサンプリングされたサンプルパルスＳ１５が重畳レベル目標値よりも大きいか否かを判定する。この場合、重畳レベル目標値は、少なくとも、光ディスクに記録された情報が消去されてしまうような重畳電流のレベル未満に設定されている。また、重畳レベル目標値は、ＤＣ電圧出力時の高周波信号のピーク値と高周波発振時の高周波信号のピーク値との間の差異、及び重畳周波数の大きさを考慮に入れて設定されている。サンプルパルスＳ１５が重畳レベル目標値よりも大きければ（ステップＳ３０５；Ｙ）、処理はステップＳ３０６に進み、サンプルパルスＳ１５が重畳レベル目標値よりも小さければ（ステップＳ３０５；Ｎ）、処理はステップＳ３０７に進む。
【００８６】
ステップＳ３０６では、サンプルパルスＳ１５が重畳レベル目標値よりも大きいため、重畳電流設定部８は、重畳電流を所定値下げる。そして、処理はステップＳ３０９に進む。
【００８７】
一方、ステップＳ３０７では、減算器７は、更に、サンプルホールド回路１２でサンプリングされたサンプルパルスＳ１５が重畳レベル目標値よりも小さいか否かを判定する。サンプルパルスＳ１５が重畳レベル目標値よりも小さければ（ステップＳ３０７；Ｙ）、処理はステップＳ３０８に進む。逆に、サンプルパルスＳ１５が重畳レベル目標値よりも小さければ（ステップＳ３０７；Ｎ）、処理はステップＳ３０９に進む。この場合には、サンプルパルスＳ１５の大きさは、重畳レベル目標値に概ね一致する。
【００８８】
ステップＳ３０８では、サンプルパルスＳ１５が重畳レベル目標値よりも小さいため、重畳電流設定部８は、重畳電流を所定値上げる。そして、処理はステップＳ３０９に進む。
【００８９】
一方、ステップＳ３０９では、ＣＰＵ３０は、情報記録再生装置１００による再生処理が終了したか否かを判定する。再生処理が終了している場合には（ステップＳ３０９；Ｙ）、処理は当該フローを抜け、再生処理が終了していない場合には（ステップＳ３０９；Ｎ）、処理はステップＳ３０１に戻る。情報記録再生装置１００は、再生処理中に重畳電流の設定処理を繰り返すからである。
【００９０】
このように、第３実施例では、光ディスク上のＡＰＣエリアを利用して、高周波信号のピーク値を検出する。このＡＰＣエリアは、ユーザデータなどが記録されておらず、自由に利用することができるエリアであるため、このエリアをピーク値の検出のために利用しても不具合は生じない。したがって、第３実施例に係る重畳電流の設定方法によれば、ＡＰＣエリアを利用するため、効率的に重畳電流の設定を行うことができる。
【００９１】
なお、本実施例では、再生処理中に重畳電流の設定処理を繰り返す例を説明したが、レーザダイオード１の点灯直後に重畳電流の設定処理を行った後、再生終了までその設定を維持するようにしても良い。
【００９２】
［全体処理］
上記の実施例では、光ディスクの種類が追記型記録媒体や書き換え型記録媒体であって既に記録がなされている場合に重畳電流の設定を行う処理を示した。以下では、光ディスクの種類を判別し、光ディスクの種類に応じて再生時に使用する重畳電流及び重畳周波数の設定を行う方法を説明する。即ち、前述した重畳電流の設定処理を含む全体処理について説明する。
【００９３】
図１１は、光ディスクの種類に応じて、使用する高周波信号の重畳電流と重畳周波数の設定を行うフローチャートを示している。なお、この処理は、前述した情報記録再生装置１００、１０１が行う。
【００９４】
まず、ステップＳ４０１では、ＣＰＵ３０は、重畳周波数を規定値に設定すると共に、重畳電流を初期値に設定する。そして、処理はステップＳ４０２に進む。ステップＳ４０２では、ＣＰＵ３０は、現在処理中の光ディスクがＲＯＭであるか否かを判定する。光ディスクがＲＯＭである場合には（ステップＳ４０２；Ｙ）、処理はステップＳ４０３に進む。一方、光ディスクがＲＯＭではない場合（ステップＳ４０２；Ｎ）、即ち光ディスクが追記型記録媒体や書き換え型記録媒体である場合には、処理はステップＳ４１０に進む。
【００９５】
ステップＳ４０３では、ＣＰＵ３０は、ＲＦ信号が記録された位置で再生を開始し、エラーレート（例えばジッター）を測定する。そして、処理はステップＳ４０４に進む。ステップＳ４０４では、重畳電流設定部８は、高周波信号の重畳電流を変更する。そして、処理はステップＳ４０５に進む。
【００９６】
ステップＳ４０５では、ＣＰＵ３０は、所定範囲の重畳電流の変更が終了したか否かを判定する。具体的には、ＣＰＵ３０は、重畳電流を変更する所定範囲を記憶しており、重畳電流設定部８による重畳電流を変更した量が、この所定範囲に相当する量に達したか否かを判定する。所定範囲の重畳電流の変更が終了した場合（ステップＳ４０５；Ｙ）、処理はステップＳ４０６に進み、所定範囲の重畳電流の変更が終了していない場合（ステップＳ４０５；Ｎ）、処理はステップＳ４０３に戻って再度処理を行う。
【００９７】
ステップＳ４０６では、ＣＰＵ３０は、所定範囲の重畳周波数の変更が終了したか否かを判定する。具体的には、ＣＰＵ３０は、重畳周波数を変更する所定範囲を記憶しており、発振器１０による重畳周波数を変更した量が、この所定範囲に相当する量に達したか否かを判定する。所定範囲の重畳周波数の変更が終了した場合（ステップＳ４０６；Ｙ）、処理はステップＳ４１８に進み、所定範囲の重畳周波数の変更が終了していない場合（ステップＳ４０６；Ｎ）、処理はステップＳ４０７に進む。
【００９８】
ステップＳ４０６では、所定範囲の重畳周波数の変更が終了していないため、発振器１０は重畳周波数を更に変更する。そして、処理はステップＳ４０３に戻り、再度処理を行う。こうして、ステップＳ４０３〜Ｓ４０６を繰り返すことにより、予め決められた所定範囲の重畳電流及び所定範囲の重畳周波数についてエラーレートの測定値が得られることになる。
【００９９】
ステップＳ４１８では、ＣＰＵ３０は、上記したように重畳電流と重畳周波数をそれぞれ所定範囲内で変更しつつ測定されたエラーレートのうち、最もエラーレートが良いときの重畳電流と重畳周波数を、再生時に用いる重畳電流及び重畳周波数に設定する。具体的には、ＣＰＵ３０は、それらの値を、重畳電流設定部８の重畳電流及び発振器１０における重畳周波数に設定する。そして、処理は当該フローを抜ける。
【０１００】
このように光ディスクがＲＯＭである場合には、光ディスクに記録済みの情報が重畳電流により消去される恐れはないので、重畳ピーク値を制限する必要はない。よって、ステップＳ４１８で決定された重畳周波数及び重畳電流を用いて高周波重畳を行えばよい。
【０１０１】
次に、光ディスクがＲＯＭではないと判定されてステップＳ４１０に進んだ場合に行う処理について説明する。
【０１０２】
ステップＳ４１０では、ＣＰＵ３０は、光ディスクが既に記録済みか否かを判定する。光ディスクが記録済みの場合（ステップＳ４１０；Ｙ）、処理はステップＳ４１１に進み、光ディスクが記録済みでない場合（ステップＳ４１０；Ｎ）、処理はステップＳ４１２に進む。
【０１０３】
ステップＳ４１０がＹｅｓとなるのは、光ディスクが追記型記録媒体や書き換え型記録媒体であって既に情報が記録済みである場合である。よって、ステップＳ４１１では、光ディスクには既に情報が記録されているため、重畳電流設定部８の重畳電流を、光ディスクに記録された情報が消去されないようなレベルに設定する必要がある。即ち、前述した第１乃至第３実施例のいずれかに従い、図３、図８、及び図１０のいずれかの処理を行う。具体的には、検出されたピーク値が重畳レベル目標値となるように、重畳電流設定部８の重畳電流を設定する。よって、光ディスクが追記型記録媒体や書き換え型記録媒体であって既に情報が記録済みである場合に、重畳電流により記録済みの情報が消去されることが防止される。以上の処理は終了すると、処理は当該フローを抜ける。
【０１０４】
一方、ステップＳ４１０がＮｏとなるのは、光ディスクが追記型記録媒体や書き換え型記録媒体であるが未だ情報が記録されていない場合である。よって、ステップＳ４１２では、ＣＰＵ３０は、光ディスクにおけるウォブルのエラーレート（例えばジッター）を測定する。そして、処理はステップＳ４１３に進む。ステップＳ４１３では、重畳電流設定部８は、高周波信号の重畳電流を変更する。そして、処理はステップＳ４１３に進む。
【０１０５】
ステップＳ４１３では、ＣＰＵ３０は、所定範囲の重畳電流の変更が終了したか否かを判定する。具体的には、ＣＰＵ３０は、重畳電流を変更する所定範囲を記憶しており、重畳電流設定部８による重畳電流を変更した量が、この所定範囲に相当する量に達したか否かを判定する。所定範囲の重畳電流の変更が終了した場合（ステップＳ４１４；Ｙ）、処理はステップＳ４１５に進み、所定範囲の重畳電流の変更が終了していない場合（ステップＳ４１４；Ｎ）、処理はステップＳ４１２に戻って再度処理を行う。
【０１０６】
ステップＳ４１５では、ＣＰＵ３０は、所定範囲の重畳周波数の変更が終了したか否かを判定する。具体的には、ＣＰＵ３０は、重畳周波数を変更する所定範囲を記憶しており、発振器１０による重畳周波数を変更した量が、この所定範囲に相当する量に達したか否かを判定する。所定範囲の重畳周波数の変更が終了した場合（ステップＳ４１５；Ｙ）、処理はステップＳ４１８に進み、所定範囲の重畳周波数の変更が終了していない場合（ステップＳ４１５；Ｎ）、処理はステップＳ４１６に進む。
【０１０７】
ステップＳ４１６では、所定範囲の重畳周波数の変更が終了していないため、発振器１０は重畳周波数を更に変更する。そして、処理はステップＳ４１２に戻り、再度処理を行う。こうして、ステップＳ４１２〜Ｓ４１６を繰り返すことにより、予め決められた所定範囲の重畳電流及び所定範囲の重畳周波数についてエラーレートの測定値が得られることになる。
【０１０８】
そして、ステップＳ４１８では、ＣＰＵ３０は、上記したように重畳電流と重畳周波数をそれぞれ所定範囲内で変更しつつ測定されたエラーレートのうち、最もエラーレートが良いときの重畳電流と重畳周波数を、再生時に用いる重畳電流及び重畳周波数に設定する。具体的には、ＣＰＵ３０は、それらの値を、重畳電流設定部８の重畳電流及び発振器１０における重畳周波数に設定する。そして、処理は当該フローを抜ける。
【０１０９】
このように光ディスクが追記型記録媒体や書き換え型記録媒体であるが未だ情報が記録されていない場合には、光ディスクに記録済みの情報が重畳電流により消去されるという問題は生じないので、重畳ピーク値を制限する必要はない。よって、ステップＳ４１８で決定された重畳周波数及び重畳電流を用いて高周波重畳を行えばよい。
【図面の簡単な説明】
【０１１０】
【図１】本発明の第１実施例に係る情報記録再生装置の概略構成を示すブロック図である。
【図２】重畳電流と重畳周波数の初期設定を行うフローチャートを示す。
【図３】本発明の第１実施例に係る重畳電流の設定を行うフローチャートを示す。
【図４】重畳周波数と光ビームのレーザパワーとの関係の具体例を示す図である。
【図５】本発明の第２実施例に係る情報記録再生装置の概略構成を示すブロック図である。
【図６】重畳ピークパワー固定指令やサンプルパルスなどの具体例を示す図である。
【図７】ＤＣ電圧出力時の高周波信号のピーク値と、高周波発振時の高周波信号のピーク値との間の差異を示す図である。
【図８】本発明の第２実施例に係る重畳電流の設定を行うフローチャートを示す。
【図９】ＡＰＣエリアを示す信号やサンプルパルスなどの具体例を示す図である。
【図１０】本発明の第３実施例に係る重畳電流の設定を行うフローチャートを示す。
【図１１】光ディスクの種類に応じて重畳電流及び重畳周波数の設定を行う全体処理を示すフローチャートを示す。
【符号の説明】
【０１１１】
１  レーザダイオード
２  フロントモニタ
３、７  減算器
４  電流源
５  加算器
６  重畳ピーク値検出部
８  重畳電流設定部
９  高周波重畳部
１０  発振器
１２  サンプルホールド回路
１３  重畳ピーク固定指令部
２０、２１  半導体レーザ駆動装置
３０  ＣＰＵ
１００、１０１  情報記録再生装置
【図１】
2006269512.tif 000003
【図２】
2006269512.tif 000004
【図３】
2006269512.tif 000005
【図４】
2006269512.tif 000006
【図５】
2006269512.tif 000007
【図６】
2006269512.tif 000008
【図７】
2006269512.tif 000009
【図８】
2006269512.tif 000010
【図９】
2006269512.tif 000011
【図１０】
2006269512.tif 000012
【図１１】
2006269512.tif 000013